(57)【要約】【課題】特定の端末から電話がかかってきたら通知してほしいと特定の端末の電話番号等を事前に登録しておかなくても、かかってきた全ての電話について通知されることがなく、いずれの端末に送出するかが決められ、蓄積メッセージを確認するために専用の電話番号を用意する必要がなく、さらに着信した呼の安全性を確かめられるとともに、ある期間に対しどんな着信があったかの着信状況が把握できる着信情報提供技術を実現する。【解決手段】通信ネットワーク１を用いて、１以上の利用者が共用する第１の端末装置３に着信した呼の着信呼情報を蓄積し、利用者の第２の端末装置５に送出する着信情報提供システムであり、着信呼が発信者番号を表示しているか等に基づいて安全性を判断し、これにより必要と判断された情報のみを利用者の第２の端末装置５に送出する。【選択図】  図１
2007124392.tif 000002
【特許請求の範囲】
【請求項１】
通信ネットワークを用いて、１以上の利用者が共用する第１の端末装置に着信呼情報を蓄積し利用者の第２の端末装置に送出する着信情報提供方法であって、
前記第１の端末装置が、
着信した呼の安全性を判断する安全性判断ステップと、
前記安全性を満たす着信呼情報を送出する第２の端末装置を決める送出先選択ステップと、
前記送出先選択ステップにおいて決められた第２の端末装置に前記着信呼情報の着信情報を送出する着信情報送出ステップと、
前記第２の端末装置からの指示により、該第２の端末装置に前記着信呼情報の蓄積メッセージを送出する蓄積メッセージ送出ステップと、
特定の第２の端末装置に、着信した全て又は一部の呼の着信情報を送出する特定着信情報送出ステップと、
前記特定の第２の端末装置からの指示により、該特定の第２の端末装置に着信した全て又は一部の呼の蓄積メッセージを送出する特定蓄積メッセージ送出ステップと、を有することを特徴とする着信情報提供方法。
【請求項２】
通信ネットワークを用いて、１以上の利用者が共用する第１の端末装置に着信呼情報を蓄積し、利用者の第２の端末装置に該着信呼情報の着信情報を送出し、該第２の端末装置の指示により第３の端末装置に該着信呼情報の蓄積メッセージを送出する着信情報提供方法であって、
前記第１の端末装置が、
着信した呼の安全性を判断する安全性判断ステップと、
前記安全性を満たす着信呼情報を送出する第２の端末装置を決める送出先選択ステップと、
前記送出先選択ステップにおいて決められた第２の端末装置に前記着信呼情報の着信情報を送出する着信情報送出ステップと、
前記第２の端末装置が、
前記第１の端末装置に蓄積メッセージ送出先情報を通知する蓄積メッセージ送出先通知ステップと、
前記第１の端末装置が、
前記蓄積メッセージ送出先情報により前記着信呼情報の蓄積メッセージを第３の端末装置に送出する他端末蓄積メッセージ送出ステップと、
特定の第２の端末装置に、着信した全て又は一部の呼の着信情報を送出する特定着信情報送出ステップと、
前記特定の第２の端末装置が、
前記第１の端末装置に蓄積メッセージ送出先情報を通知する蓄積メッセージ送出先通知ステップと、
前記第１の端末装置が、
前記蓄積メッセージ送出先情報により、着信した全て又は一部の呼の蓄積メッセージを第３の端末装置に送出する特定他端末蓄積メッセージ送出ステップと、を有することを特徴とする着信情報提供方法。
【請求項３】
前記蓄積メッセージ送出先通知ステップにあっては、前記蓄積メッセージの暗号化を行う情報を含むことを特徴とする請求項２に記載の着信情報提供方法。
【請求項４】
前記蓄積メッセージ送出先通知ステップにあっては、前記第３の端末装置に前記第１の端末装置の発信者電話番号を送出することを含むことを特徴とする請求項２に記載の着信情報提供方法。
【請求項５】
前記第１の端末装置への送信はファックス送信であり、
前記第３の端末装置はファクシミリ端末装置であることを特徴とする請求項２に記載の着信情報提供方法。
【請求項６】
通信ネットワークを用いて、１以上の利用者が共用する第１の端末装置に着信呼情報を蓄積し利用者の第２の端末装置に送出する着信情報提供システムであって、
前記第１の端末装置は、
着信した呼の安全性を判断する安全性判断手段と、
前記安全性を満たす着信呼情報を送出する第２の端末装置を決める送出先選択手段と、
前記送出先選択手段において決められた第２の端末装置に前記着信呼情報の着信情報を送出する着信情報送出手段と、
前記第２の端末装置からの指示により、該第２の端末装置に前記着信呼情報の蓄積メッセージを送出する蓄積メッセージ送出手段と、
特定の第２の端末装置に、着信した全て又は一部の呼の着信情報を送出する特定着信情報送出手段と、
前記特定の第２の端末装置からの指示により、該特定の第２の端末装置に着信した全て又は一部の呼の蓄積メッセージを送出する特定蓄積メッセージ送出手段と、を有することを特徴とする着信情報提供システム。
【請求項７】
通信ネットワークを用いて、１以上の利用者が共用する第１の端末装置に着信呼情報を蓄積し、利用者の第２の端末装置に該着信呼情報の着信情報を送出し、該第２の端末装置の指示により第３の端末装置に該着信呼情報の蓄積メッセージを送出する着信情報提供システムであって、
前記第１の端末装置が、
着信した呼の安全性を判断する安全性判断手段と、
前記安全性を満たす着信呼情報を送出する第２の端末装置を決める送出先選択手段と、
前記送出先選択手段において決められた第２の端末装置に前記着信呼情報の着信情報を送出する着信情報送出手段と、
蓄積メッセージ送出先情報により前記着信呼情報の蓄積メッセージを第３の端末装置に送出する他端末蓄積メッセージ送出手段と、
特定の第２の端末装置に、着信した全て又は一部の呼の着信情報を送出する特定着信情報送出手段と、
蓄積メッセージ送出先情報により、着信した全て又は一部の呼の蓄積メッセージを第３の端末装置に送出する特定他端末蓄積メッセージ送出手段と、を有し、
前記第２の端末装置が、
前記第１の端末装置に前記蓄積メッセージ送出先情報を通知する蓄積メッセージ送出先通知手段を有し、
前記特定の第２の端末装置が、
前記第１の端末装置に前記蓄積メッセージ送出先情報を通知する蓄積メッセージ送出先通知手段を有することを特徴とする着信情報提供システム。
【請求項８】
前記蓄積メッセージ送出先通知手段にあっては、前記蓄積メッセージの暗号化を行う情報を含むことを特徴とする請求項７に記載の着信情報提供システム。
【請求項９】
前記蓄積メッセージ送出先通知手段にあっては、前記第３の端末装置に前記第１の端末装置の発信者電話番号を送出することを含むことを特徴とする請求項７に記載の着信情報提供システム。
【請求項１０】
前記第１の端末装置への送信はファックス送信であり、
前記第３の端末装置はファクシミリ端末装置であることを特徴とする請求項７に記載の着信情報提供システム。
【発明の詳細な説明】
【技術分野】
【０００１】
本発明は、１以上の利用者が共用する端末装置（例えば、電話端末装置又はファクシミリ端末装置）に着信した呼の着信呼情報（例えば、着信があった時刻、発信者電話番号及び発信者が残した蓄積メッセージ）を利用者の端末装置（例えば、携帯端末装置）に送出する着信情報提供技術に関する。
【背景技術】
【０００２】
従来の電話端末装置又はファクシミリ端末装置等の端末装置に着信した呼の着信呼情報を、携帯端末装置等の端末装置に通知する方法としては、企業等において内線番号を割り当てられている社員が外出に際して携帯電話を持って出かけるときに、外出に先立ち、特定のこの人から電話がかかってきたら通知してほしいと特定の人の発信者電話番号及び氏名を事前に登録しておく。そして、外出中に内線番号にかかってきた電話を録音するとともに、電話をかけてきた人が、事前に登録した人であるかどうかを判断し、登録した人である場合は、外出した社員の携帯電話に、電話があったこと、その時刻、発信者氏名、発信者電話番号、録音メッセージの有無および録音メッセージを聞くためのアクセス番号等を通知するものがある。これは、通知を受けた社員が携帯電話に表示された発信者電話番号をクリックすることで電話をかけてきた人に発信し接続できるようにする。また同様に録音メッセージを聞くために通知されたアクセス番号をクリックすることにより発信しアクセス番号につながった後はパスワードを入れることで認証された録音メッセージを聞くことができるようにするものがある（例えば、特許文献１参照。）。
【０００３】
また、他の方法としては、電話着信があると全ての着信について、電話があったこと及び発信者電話番号（通知された場合）を事前に登録した電子メールアドレスに通知するものがある（例えば、特許文献２参照。）。
【特許文献１】特開２００１−２６８２４６号公報
【特許文献２】特開２０００−１８４０９３号公報
【発明の開示】
【発明が解決しようとする課題】
【０００４】
しかしながら上記従来の方法では、外出に先立ち、特定のこの人から電話がかかってきたら通知してほしいと特定の人の発信者電話番号等を事前に登録するものである。また、家庭にあっては、普段から電話をしている人の数は多く、滅多にかけてこない人でも大事な用件でかけてくる場合もあり、特定のこの人から電話がかかってきたら知らせてほしいと事前に登録することは不可能である。
【０００５】
かかってきた全ての電話について通知されると、大した用事でない、例えば、勧誘の電話までも通知されることになり不向きなものである。また、家庭にあっては、電話は家族で共有している場合が多く、電話があったことを家族の誰に通知するかを決めなければならない。しかし、従来の方法では、家族の誰に通知するかを決めることについては言及されていない。さらに家庭にあっては、録音メッセージを聞くために専用の電話番号を用意するということは不向きなものである。
【０００６】
そこで、上記の問題を解決し、特定の端末から電話がかかってきたら通知してほしいと特定の端末の電話番号等を事前に登録しておかなくても、かかってきた全ての電話について通知されることがなく、いずれの端末に送出するかが決められ、蓄積メッセージを確認するために専用の電話番号を用意する必要がなく、さらに着信した呼の安全性を確かめられるとともに、ある期間に対しどんな着信があったかの着信状況が把握できる着信情報提供技術を実現することを目的とする。
【課題を解決するための手段】
【０００７】
そこで、上記課題を解決するために、請求項１に記載の発明は、通信ネットワークを用いて、１以上の利用者が共用する第１の端末装置に着信呼情報を蓄積し利用者の第２の端末装置に送出する着信情報提供方法であって、前記第１の端末装置が、着信した呼の安全性を判断する安全性判断ステップと、前記安全性を満たす着信呼情報を送出する第２の端末装置を決める送出先選択ステップと、前記送出先選択ステップにおいて決められた第２の端末装置に前記着信呼情報の着信情報を送出する着信情報送出ステップと、前記第２の端末装置からの指示により、該第２の端末装置に前記着信呼情報の蓄積メッセージを送出する蓄積メッセージ送出ステップと、特定の第２の端末装置に、着信した全て又は一部の呼の着信情報を送出する特定着信情報送出ステップと、前記特定の第２の端末装置からの指示により、該特定の第２の端末装置に着信した全て又は一部の呼の蓄積メッセージを送出する特定蓄積メッセージ送出ステップと、を有することを特徴とする。
【０００８】
また、請求項２に記載の発明は、通信ネットワークを用いて、１以上の利用者が共用する第１の端末装置に着信呼情報を蓄積し、利用者の第２の端末装置に該着信呼情報の着信情報を送出し、該第２の端末装置の指示により第３の端末装置に該着信呼情報の蓄積メッセージを送出する着信情報提供方法であって、前記第１の端末装置が、着信した呼の安全性を判断する安全性判断ステップと、前記安全性を満たす着信呼情報を送出する第２の端末装置を決める送出先選択ステップと、前記送出先選択ステップにおいて決められた第２の端末装置に前記着信呼情報の着信情報を送出する着信情報送出ステップと、前記第２の端末装置が、前記第１の端末装置に蓄積メッセージ送出先情報を通知する蓄積メッセージ送出先通知ステップと、前記第１の端末装置が、前記蓄積メッセージ送出先情報により前記着信呼情報の蓄積メッセージを第３の端末装置に送出する他端末蓄積メッセージ送出ステップと、特定の第２の端末装置に、着信した全て又は一部の呼の着信情報を送出する特定着信情報送出ステップと、前記特定の第２の端末装置が、前記第１の端末装置に蓄積メッセージ送出先情報を通知する蓄積メッセージ送出先通知ステップと、前記第１の端末装置が、前記蓄積メッセージ送出先情報により、着信した全て又は一部の呼の蓄積メッセージを第３の端末装置に送出する特定他端末蓄積メッセージ送出ステップと、を有することを特徴とする。
【０００９】
また、請求項３に記載の発明は、前記蓄積メッセージ送出先通知ステップにあっては、前記蓄積メッセージの暗号化を行う情報を含むことを特徴とする。
【００１０】
また、請求項４に記載の発明は、前記蓄積メッセージ送出先通知ステップにあっては、前記第３の端末装置に前記第１の端末装置の発信者電話番号を送出することを含むことを特徴とする。
【００１１】
また、請求項５に記載の発明は、前記第１の端末装置への送信はファックス送信であり、前記第３の端末装置はファクシミリ端末装置であることを特徴とする。
【００１２】
また、請求項６に記載の発明は、通信ネットワークを用いて、１以上の利用者が共用する第１の端末装置に着信呼情報を蓄積し利用者の第２の端末装置に送出する着信情報提供システムであって、前記第１の端末装置は、着信した呼の安全性を判断する安全性判断手段と、前記安全性を満たす着信呼情報を送出する第２の端末装置を決める送出先選択手段と、前記送出先選択手段において決められた第２の端末装置に前記着信呼情報の着信情報を送出する着信情報送出手段と、前記第２の端末装置からの指示により、該第２の端末装置に前記着信呼情報の蓄積メッセージを送出する蓄積メッセージ送出手段と、特定の第２の端末装置に、着信した全て又は一部の呼の着信情報を送出する特定着信情報送出手段と、前記特定の第２の端末装置からの指示により、該特定の第２の端末装置に着信した全て又は一部の呼の蓄積メッセージを送出する特定蓄積メッセージ送出手段と、を有することを特徴とする。
【００１３】
また、請求項７に記載の発明は、通信ネットワークを用いて、１以上の利用者が共用する第１の端末装置に着信呼情報を蓄積し、利用者の第２の端末装置に該着信呼情報の着信情報を送出し、該第２の端末装置の指示により第３の端末装置に該着信呼情報の蓄積メッセージを送出する着信情報提供システムであって、前記第１の端末装置が、着信した呼の安全性を判断する安全性判断手段と、前記安全性を満たす着信呼情報を送出する第２の端末装置を決める送出先選択手段と、前記送出先選択手段において決められた第２の端末装置に前記着信呼情報の着信情報を送出する着信情報送出手段と、蓄積メッセージ送出先情報により前記着信呼情報の蓄積メッセージを第３の端末装置に送出する他端末蓄積メッセージ送出手段と、特定の第２の端末装置に、着信した全て又は一部の呼の着信情報を送出する特定着信情報送出手段と、蓄積メッセージ送出先情報により、着信した全て又は一部の呼の蓄積メッセージを第３の端末装置に送出する特定他端末蓄積メッセージ送出手段と、を有し、前記第２の端末装置が、前記第１の端末装置に前記蓄積メッセージ送出先情報を通知する蓄積メッセージ送出先通知手段を有し、前記特定の第２の端末装置が、前記第１の端末装置に前記蓄積メッセージ送出先情報を通知する蓄積メッセージ送出先通知手段を有することを特徴とする。
【００１４】
また、請求項８に記載の発明は、前記蓄積メッセージ送出先通知手段にあっては、前記蓄積メッセージの暗号化を行う情報を含むことを特徴とする。
【００１５】
また、請求項９に記載の発明は、前記蓄積メッセージ送出先通知手段にあっては、前記第３の端末装置に前記第１の端末装置の発信者電話番号を送出することを含むことを特徴とする。
【００１６】
また、請求項１０に記載の発明は、前記第１の端末装置への送信はファックス送信であり、前記第３の端末装置はファクシミリ端末装置であることを特徴とする。
【発明の効果】
【００１７】
請求項１〜４、及び６〜９に記載の発明によれば、特定の端末から電話がかかってきたら通知してほしいと端末の電話番号等を事前に登録しておかなくても、かかってきた電話のうち安全性の低い電話は通知されることがない。
【００１８】
また、録音メッセージを残した緊急の用件などを安全性が高いと設定しておけば、必要な要件を遅滞なく受信することが可能となる。
【００１９】
また、いずれの端末に送出するかを決めることができるので、端末への着信と混じることがない。
【００２０】
また、録音メッセージを聞くために専用の電話番号を用意する必要がない。
【００２１】
また、安全性が低い、又はどの端末宛か定かでない着信については特定の人が安全性等を確かめたうえで処理することができるようになる。
【００２２】
また、留守中、又は一定期間中にどんな着信があったかの着信状況が把握でき、それにより対応策がとれるようになる。
【００２３】
また、請求項５、及び１０に記載の発明によれば、第１の端末装置に蓄積されたファックス送信情報を、ファクシミリ端末装置である第３の端末装置を使って受信することができる。
【発明を実施するための最良の形態】
【００２４】
(実施形態１)
以下、図面を用いて実施形態について説明する。
【００２５】
図１は、着信情報提供システムの構成例を示す接続図である。図１は着信情報提供システムが、通信ネットワーク１、発信側の電話等端末装置２ａ、着信側の１以上の利用者が共用する第１の端末装置３、利用者の第２の端末装置５ａ、第２の端末装置５ａの中で特定の利用者（例えば親）が利用する特定の第２の端末装置５ｂ（どの第２の端末装置であるかを特定しないときは第２の端末装置５と称する。以下同様）を有して構成されることを示している。
【００２６】
通信ネットワーク１は電話網、ＩＰ網、及び移動体網等であって、電話等端末装置２、第１の端末装置３、第２の端末装置５ａ、及び特定の第２の端末装置５ｂは、通信ネットワーク１に接続されていることを示している。なおここでは、図面の都合上電話等端末装置２ａ及び第２の端末装置５ａは１つずつ示しているが、それぞれ複数存在してもよい。
【００２７】
次に着信情報提供システムにおけるサービスの概要について説明する。
【００２８】
図２は、着信情報提供システムにより実施可能なサービス例の概要を説明する図である。図２には通信ネットワーク１としての電話網及びＩＰ網等、複数の電話等端末装置２ａ、第１の端末装置３、複数の第２の端末装置５ａ、並びに特定の第２の端末装置５ｂが示されている。
【００２９】
まず、発信者が電話等端末装置２ａを使い、第１の端末装置３に電話をする(Ｓ１)。
【００３０】
第１の端末装置３は、着信した呼の安全性を判断するために、例えば発信者電話番号が通知されているか、又は用件を残してくださいというアナウンスに対してメッセージを残したかに基づき、発信者電話番号が通知された場合、又はメッセージが残された場合は安全性が高いと判断する。そして発信者電話番号が通知されず、メッセージも残されなかった場合は安全性が低いと判断し、またどの第２の端末装置５に送出するかを決めるために、例えば第２の端末装置５ごとに発信者電話番号を登録しておき、着信してきた電話等端末装置２ａの発信者電話番号と照合し一致したらその第２の端末装置５であると決めるようにする。さらに電話着信があったこと、着信があった時刻、発信者電話番号の通知があったか否か、発信者電話番号により発信者氏名が分かった場合はその発信者氏名及び蓄積メッセージの有無を含む着信情報を作成し、着信情報と蓄積メッセージを着信呼情報として管理する（Ｓ２）。
【００３１】
安全性が高く、送出する第２の端末装置５が決まると該当する第２の端末装置５に着信情報を送出する（Ｓ３）。
【００３２】
そして着信情報を受けた第２の端末装置５の利用者が蓄積メッセージを聞くために、例えば画面に表示された「蓄積メッセージあり」を選択しクリックする、又はあらためて第１の端末装置に接続するなどの指示を行う（Ｓ４）。
【００３３】
これにより蓄積メッセージを聞くことができるようにする（Ｓ５）。
【００３４】
安全性が低い、又は送出する第２の端末装置５が決まらない場合は、特定の第２の端末装置５ｂに、予め決められた時刻又は予め決められた件数に達したときに該当する着信情報を送出する。また予め決められた時刻にある期間内に着信した全ての呼の着信情報を特定の第２の端末装置５ｂに通知することにより、留守中あるいは一定の期間内にどんな電話があったかの着信状況が把握できるようになる。
【００３５】
次に着信情報提供システムにおける構成装置の機能及び構成装置間の接続について説明する。
【００３６】
図３は、着信情報提供システムにおける構成装置の機能例及び構成装置間の接続例を示す図である。
【００３７】
第１の端末装置３は、安全性判断部３２、送出先選択部３３、着信呼情報蓄積部３４、着信情報送出部３５、蓄積メッセージ送出部３６、特定着信情報送出部３７、及び特定蓄積メッセージ送出部３８を有している。
【００３８】
安全性判断部３２は、着信した呼の安全性を、例えば発信者電話番号が通知されているか、又はメッセージを残したかに基づき判断する安全性判断手段を有する。
【００３９】
送出先選択部３３は、着信呼情報を送出する第２の端末装置５を決めることを、例えば第２の端末装置５ごとに発信者電話番号を登録しておき、着信してきた電話等端末装置２の発信者電話番号と照合し一致したらその第２の端末装置５であると決めるようにする送出先選択手段を有する。
【００４０】
着信呼情報蓄積部３４は、着信した呼について、着信があったこと、着信があった時刻、発信者電話番号の通知があったか否か、発信者電話番号により発信者氏名が分かった場合はその発信者氏名及び蓄積メッセージの有無を含む着信情報を作成し、着信情報、及び蓄積メッセージからなる着信呼情報を蓄積する着信呼情報蓄積手段を有する。
【００４１】
着信情報送出部３５は、安全性判断部３２において安全性が高いと判断され、送出先選択部３３において送出先と決められた第２の端末装置５に着信情報を送出する着信情報送出手段を有する。
【００４２】
蓄積メッセージ送出部３６は、第２の端末装置５の利用者が蓄積メッセージを聞くために、例えば画面に表示された「蓄積メッセージあり」を選択しクリックする、又はあらためて第１の端末装置に接続するなどの指示を行うことにより認証及び受信し蓄積メッセージを送出する蓄積メッセージ送出手段を有する。
【００４３】
特定着信情報送出部３７は、特定の第２の端末装置５ｂに、着信した全て、又は一部の呼の着信情報を送出する特定着信情報送出手段を有する。
【００４４】
特定蓄積メッセージ送出部３８は、特定の第２の端末装置５ｂの利用者が蓄積メッセージを聞くために、例えば画面に表示された「蓄積メッセージあり」を選択しクリックする、又はあらためて第１の端末装置３に接続するなどの指示を行うことにより認証および受信し、着信した全てあるいは一部の呼の蓄積メッセージを送出する特定蓄積メッセージ送出手段を有する。
【００４５】
第２の端末装置５は、携帯端末装置、表示部を持った固定電話、及び通信機能を持ったＰＣ（Ｐｅｒｓｏｎａｌ  Ｃｏｍｐｕｔｅｒ）などである。
【００４６】
電話等端末装置２ａは、携帯端末装置、固定電話等、及び通信機能を持ったＰＣなどである。
【００４７】
次に着信情報提供システムにおける構成装置の構成について説明する。
【００４８】
図４は、着信情報提供システムにおける構成装置の構成例を示す図である。なお図３と同一、又は同等な機能要素については同一の符号をあてるものとし、詳細な説明については省略するものとする。
【００４９】
第１の端末装置３は、通信ネットワーク１とのインタフェースをとる通信インタフェース３１、安全性判断部３２、送出先選択部３３、着信呼情報蓄積部３４、着信情報送出部３５、蓄積メッセージ送出部３６、特定着信情報送出部３７、及び特定蓄積メッセージ送出部３８を有して構成される。
【００５０】
着信情報送出部３５、蓄積メッセージ送出部３６、特定着信情報送出部３７、及び特定蓄積メッセージ送出部３８は、着信呼情報蓄積部３４に蓄積された情報又はメッセージを通信インタフェース３１をとおして第２の端末装置５に送出するものである。
【００５１】
次に着信情報提供システムにおける動作を説明する。
【００５２】
図５は、図３の着信情報提供システムの動作例を示すシーケンスチャートである。図５は電話等端末装置２ａ、第１の端末装置３、第２の端末装置５ａ、及び特定の第２の端末装置５ｂの間のシーケンスである。
【００５３】
まず、電話等端末装置２ａが第１の端末装置３に発信する（Ｓ１１）。
【００５４】
これを第１の端末装置３が受信すると、安全性を判断し（Ｓ１２）、送出先を決め（Ｓ１３）、第２の端末装置５ａに着信情報を送出する（Ｓ１４）。
【００５５】
これを第２の端末装置５ａが受信し（Ｓ１５）、利用者が「蓄積メッセージあり」をクリックする、又はあらためて第１の端末装置３に接続する（Ｓ１６）。
【００５６】
すると第１の端末装置３が認証及び受信し（Ｓ１７）、第２の端末装置５ａに蓄積メッセージを送出する（Ｓ１８）。
【００５７】
これを第２の端末装置５ａが受信する（Ｓ１９）。
【００５８】
続いて第１の端末装置３が、安全性が低い、又はどの第２の端末装置４に送出するかが決められなかったものがある場合、さらにはどんな着信があったかの着信状況を把握することが設定されていた場合は、特定の第２の端末装置５ｂに着信情報を送出する条件が満たされたかどうかを判断し、条件が満たされたと判断すると（Ｓ２０）、着信した全て又は一部の呼の着信情報を送出する（Ｓ２１）。
【００５９】
これを特定の第２の端末装置５ｂが受信し（Ｓ２２）、利用者が「蓄積メッセージあり」をクリックする、又はあらためて第１の端末装置３に接続する（Ｓ２３）。
【００６０】
これを第１の端末装置３が認証及び受信し（Ｓ２４）、特定の第２の端末装置５ｂに、着信した全て又は一部の呼の蓄積メッセージを送出する（Ｓ２５）。
【００６１】
これを特定の第２の端末装置５ｂが受信する（Ｓ２６）。
【００６２】
このように、着信情報提供システムによれば、特定のこの人から電話がかかってきたら通知してほしいと特定の人の発信者電話番号等を事前に登録しておかなくても、かかってきた全ての電話について通知されることがなく、家族の中の誰に送出するかが決められ、蓄積メッセージを視聴するために専用の電話番号を用意する必要がなく、さらに着信した呼の安全性を確かめられるとともに、どんな着信があったかの着信状況が把握できることになる。
【００６３】
(実施形態２)
次に蓄積メッセージを第２の端末装置５ではなく、第３の端末装置に送出する着信情報提供システムについて説明する。
【００６４】
なお実施形態１の着信情報提供システムと同一、又は同等な機能要素については同一の符号をあてるものとし、詳細な説明については省略するものとする。実施形態１の着信情報提供システムとの違いは、蓄積メッセージを第３の端末装置に送出することにある。
【００６５】
図６は、着信情報提供システムの構成例を示す接続図である。図１は本システムが、通信ネットワーク１と、発信側の電話等端末装置２ａ、ファクシミリ端末装置２ｂ（どの端末装置であるかを特定しないときは発信側端末装置２と称する。以下同様）、着信側の１以上の利用者が共用する第１の端末装置３、利用者の第２の端末装置５ａ、特定の第２の端末装置５ｂ、及び図１にはなかった第３の端末装置６を有して構成されることを示している。
【００６６】
次に実施例のサービスの概要について説明する。
【００６７】
図７は、実施例により実施可能なサービス例の概要を説明する図である。図７には通信ネットワーク１としての電話網及びＩＰ網等、複数の発信側端末装置２、第１の端末装置３、複数の第２の端末装置５ａ、特定の第２の端末装置５ｂ、並びに複数の第３の端末装置６が示されている。
【００６８】
まず発信者が発信側端末装置２を使い、例えばファックス送信する（Ｓ３１）。
【００６９】
第１の端末装置３は、着信した呼の安全性を判断し、どの第２の端末装置４に送出するかを決め、着信情報を作成し、着信情報と蓄積メッセージ（ファックス情報）を着信呼情報として管理する（Ｓ３２）。
【００７０】
安全性が高く、送出する第２の端末装置５が決まると該当する第２の端末装置５に着信情報を送出する（Ｓ３３）。
【００７１】
着信情報を受けた第２の端末装置５の利用者がファックスを受信したことを知るが自分が持つ第２の端末装置５では受信できないので、近くにあるファクシミリ端末装置（すなわち第３の端末装置６）を探し、第１の端末装置３に、見つけたファクシミリ端末装置（第３の端末装置６）の電話番号を通知する（Ｓ３４）。
【００７２】
第１の端末装置３が通知を受け、ファクシミリ端末装置（第３の端末装置６）に蓄積メッセージ（ファックス情報）を送出し見ることができるようにするものである（Ｓ３５）。
【００７３】
次に着信情報提供システムにおける構成装置の機能及び構成装置間の接続について説明する。
【００７４】
図８は、図６の着信情報提供システムにおける構成装置の機能例及び構成装置間の接続例を示す図である。
【００７５】
第１の端末装置３は、安全性判断部３２、送出先選択部３３、着信呼情報蓄積部３４、着信情報送出部３５、特定着信情報送出部３７、他端末蓄積メッセージ送出部３９、特定着信情報送出部３７、及び特定他端末蓄積メッセージ送出部４０を有している。
【００７６】
他端末蓄積メッセージ送出部３９は、第２の端末装置５の利用者が蓄積メッセージを視聴するために、近くにある蓄積メッセージを受信できる第３の端末装置６を探し、あらためて第１の端末装置３に接続してくることにより認証し、また第２の端末装置５から送出される第３の端末装置６の電話番号を含む蓄積メッセージ送出先情報を受信し、第３の端末装置６に蓄積メッセージを送出する他端末蓄積メッセージ送出手段を有する。
【００７７】
特定他端末蓄積メッセージ送出部４０は、特定の第２の端末装置５ｂの利用者が蓄積メッセージを視聴するために、近くにある蓄積メッセージを受信できる第３の端末装置６を探し、あらためて第１の端末装置３に接続してくることにより認証し、また特定の第２の端末装置５ｂから送出される第３の端末装置６の電話番号を含む蓄積メッセージ送出先情報を受信し、第３の端末装置６に、着信した全てあるいは一部の呼の蓄積メッセージを送出する特定他端末蓄積メッセージ送出手段を有する。
【００７８】
第２の端末装置５は、第１の端末装置３に第３の端末装置６の電話番号を含む蓄積メッセージ送出先情報を通知する蓄積メッセージ送出先通知手段を有する蓄積メッセージ送出先通知部５２を含む機能を持った携帯端末装置、表示部を持った固定電話および通信機能を持ったＰＣなどである。
【００７９】
第３の端末装置６は、蓄積メッセージの受信が可能な固定電話及び通信機能を持ったＰＣなどである。
【００８０】
電話等端末装置２ａは、携帯端末装置、固定電話及び通信機能を持ったＰＣなどである。
【００８１】
ファクシミリ端末装置２ｂは、ファックス送信が可能な固定電話、専用端末装置および通信機能を持ったＰＣなどである。
【００８２】
また、第２の端末装置５の蓄積メッセージ送出先通知部５２にあっては、蓄積メッセージの暗号化を行う情報を含むものである。
【００８３】
また、第２の端末装置５の蓄積メッセージ送出先通知部５２にあっては、第３の端末装置に第１の端末装置の発信者電話番号を通知することを含むものである。
【００８４】
次に着信情報提供システムにおける構成装置の構成について説明する。
【００８５】
図９は、図８の着信情報提供システムにおける構成装置の構成例を示す図である。なお図８と同一、又は同等な機能要素については同一の符号をあてるものとし、詳細な説明については省略するものとする。
【００８６】
第１の端末装置３は、通信ネットワーク１とのインタフェースをとる通信インタフェース３１、安全性判断部３２、送出先選択部３３、着信呼情報蓄積部３４、着信情報送出部３５、他端末蓄積メッセージ送出部３９、特定着信情報送出部３７、及び特定他端末蓄積メッセージ送出部４０を有して構成される。
【００８７】
着信情報送出部３５、他端末蓄積メッセージ送出部３９、特定着信情報送出部３７、及び特定他端末蓄積メッセージ送出部４０は、着信呼情報蓄積部３４に蓄積された情報又はメッセージを通信インタフェース３１をとおして第２の端末装置５（着信情報）及び第３の端末装置６（蓄積メッセージ）に送出するものである。
【００８８】
第２の端末装置５ａ、５ｂは、通信ネットワーク１とのインタフェースをとる通信インタフェース５１、蓄積メッセージ送出先通知部５２を有して構成される。
【００８９】
次に上記着信情報提供システムにおける動作を説明する。
【００９０】
図１０は、図８の着信情報提供システムの動作例を示すシーケンスチャートである。図１０は発信側端末装置２、第１の端末装置３、第２の端末装置５ａ、特定の第２の端末装置５ｂ、及び第３の端末装置６の間のシーケンスである。
【００９１】
まず発信側端末装置２が第１の端末装置３に発信する（Ｓ４１）。
【００９２】
これを第１の端末装置３が受信すると、安全性を判断して（Ｓ４２）、送出先を決め（Ｓ４３）、第２の端末装置５ａに着信情報を送出する（Ｓ４４）。
【００９３】
これを第２の端末装置５ａが受信し（Ｓ４５）、第２の端末装置５ａがあらためて第１の端末装置３に接続し蓄積メッセージ送出先情報を通知する（Ｓ４６）。
【００９４】
これを第１の端末装置３が認証及び受信して（Ｓ４７）、第３の端末装置６に蓄積メッセージを送出する（Ｓ４８）。
【００９５】
これを第３の端末装置６が受信する（Ｓ４９）。
【００９６】
続いて第１の端末装置３が、安全性が低い、又はどの第２の端末装置４に送出するかが決められなかったものがある場合、さらにはどんな着信があったかの着信状況を把握することが設定されていた場合は、特定の第２の端末装置４ｂに着信情報を送出する条件が満たされたかどうかを判断し、条件が満たされたと判断すると（Ｓ５０）、着信した全て又は一部の呼の着信情報を送出する（Ｓ５１）。
【００９７】
これを特定の第２の端末装置５ｂが受信し（Ｓ５２）、特定の第２の端末装置５ｂがあらためて第１の端末装置３に接続し蓄積メッセージ送出先情報を通知する（Ｓ５３）。
【００９８】
これを第１の端末装置３が認証及び受信し（Ｓ５４）、第３の端末装置６に、着信した全て又は一部の呼の蓄積メッセージを送出する（Ｓ５５）。
【００９９】
これを第３の端末装置６が受信する（Ｓ５６）。
【０１００】
また、第２の端末装置５ａが、Ｓ４６及びＳ５３にあっては、蓄積メッセージの暗号化を行う情報を含むものである。
【０１０１】
また、第２の端末装置５ａが、Ｓ４６にあっては、第３の端末装置６に第１の端末装置３の発信者電話番号を通知し、第３の端末装置６が受信し（Ｓ５７）、Ｓ５３にあっては、第３の端末装置６に第１の端末装置３の発信者電話番号を通知し、第３の端末装置６が受信する（Ｓ５８）ことを含むものである。
【０１０２】
このように、着信情報提供システムによれば、特定のこの人から電話がかかってきたら通知してほしいと特定の人の発信者電話番号等を事前に登録しておかなくても、かかってきた全ての電話について通知されることがなく、家族の中の誰に送出するかが決められ、蓄積メッセージを視聴するために専用の電話番号を用意する必要がなく、また近くにある端末装置を一時的に使って視聴することが可能になり、さらに着信した呼の安全性を確かめられるとともに、どんな着信があったかの着信状況が把握できることになる。
【図面の簡単な説明】
【０１０３】
【図１】着信情報提供システムの構成例を示す接続図。
【図２】着信情報提供システムのサービスの概要を説明する図。
【図３】着信情報提供システムにおける構成装置の機能例及び構成装置間の接続例を示す図。
【図４】着信情報提供システムにおける構成装置の構成例を示す図。
【図５】着信情報提供システムにおけるシステムの動作例を説明するシーケンスチャート。
【図６】着信情報提供システムの構成例を示す接続図。
【図７】着信情報提供システムのサービスの概要を説明する図。
【図８】着信情報提供システムにおける構成装置の機能例及び構成装置間の接続例を示す図。
【図９】着信情報提供システムにおける構成装置の構成例を示す図。
【図１０】着信情報提供システムの動作例を説明するシーケンスチャート。
【符号の説明】
【０１０４】
１  通信ネットワーク
２（２ａ、２ｂ）  発信側端末装置（電話等端末装置、ファクシミリ端末装置）
３  第１の端末装置
３１、５１  通信インタフェース
３２  安全性判断部
３３  送出先選択部
３４  着信呼情報蓄積部
３５  着信情報送出部
３６  蓄積メッセージ送出部
３７  特定着信情報送出部
３８  特定蓄積メッセージ送出部
３９  他端末蓄積メッセージ送出部
４０  特定他端末蓄積メッセージ送出部
５（５ａ、５ｂ）  第２の端末装置
５２  蓄積メッセージ送出先通知部
６  第３の端末装置
【図１】
2007124392.tif 000003
【図２】
2007124392.tif 000004
【図３】
2007124392.tif 000005
【図４】
2007124392.tif 000006
【図５】
2007124392.tif 000007
【図６】
2007124392.tif 000008
【図７】
2007124392.tif 000009
【図８】
2007124392.tif 000010
【図９】
2007124392.tif 000011
【図１０】
2007124392.tif 000012